(57)【要約】【課題】  最下段に立設される柱体における建入れ調整を可能にするのはもちろんのこと、その際における占有面積をいたずらに大きくせずして周辺への干渉の機会を大幅に減少する。【解決手段】  下端側が固定側とされながら上端側が軸線方向となる上方に向けて延在されてベースプレート６を貫通するアンカーボルト１と、このアンカーボルト１の上端部に下端が分離可能に連結される連結手段２と、この連結手段２の上端に一端が分離可能に連結されると共に他端が柱体４の側面に張り出すブラケット４ａに分離可能に連結される伸縮手段３とを有してなり、適宜の手段による伸縮手段３の伸縮動作でブラケット４ａを昇降させて柱体４の建入れ調整を可能にする。【選択図】        図１
2006077450.tif 000002
【特許請求の範囲】
【請求項１】
下端側が固定側とされながら上端側が軸線方向となる上方に向けて延在されてベースプレートを貫通するアンカーボルトと、このアンカーボルトの上端部に下端が分離可能に連結される連結手段と、この連結手段の上端に一端が分離可能に連結されると共に他端が柱体の側面に固定状態に張り出すブラケットに分離可能に連結される伸縮手段とを有してなり、適宜の手段による伸縮手段の伸縮動作でブラケットを昇降させて柱体の建入れ調整を可能にすることを特徴とする建入れ調整装置
【請求項２】
連結手段がアンカーボルトの上端部に螺着される袋ナットを有すると共に、この袋ナットがアンカーボルトに螺装されたロックナットの隣接でアンカーボルトに固着されてなる請求項１に記載の建入れ調整装置
【請求項３】
伸縮手段における下端の連結手段に対する連結、および、伸縮手段における上端のブラケットに対する連結が連結ピン利用とされてなる請求項１に記載の建入れ調整装置
【発明の詳細な説明】
【技術分野】
【０００１】
この発明は、フーチンや杭頭などの基礎上に最下段となる柱体を建て込む際に利用する建入れ調整装置の改良に関する。
【背景技術】
【０００２】
たとえば、鋼鉄製の柱体を建て込む際に利用する建入れ調整装置としては、従来から種々の提案があるが、その中で、特許文献１に開示されている建入れ調整装置は、フーチンや杭頭などの基礎上に最下段となる鋼鉄製の柱体を建て込む際に利用するものとして提案されている。
【０００３】
すなわち、この建入れ調整装置は、最下段となる柱体の下端に一体に連設されているベースプレートをこのベースプレートの中央下方に配在されている饅頭あるいは団子と称される盛り上がりの頂点を支点にして揺動させることで、柱体における垂直度を修正する、すなわち、建入れ調整を実践するとしている。
【０００４】
このとき、この特許文献１に開示の提案では、基礎に植設されているアンカーボルトがいわゆる四隅部を貫通した状態下にあるベースプレートにおける選択された辺部を流体圧ジャッキやスクリュージャッキ、あるいは、これに相当する専用装置で昇降させることで、ベースプレートを揺動させ、結果的に柱体における垂直度を修正するとしている。
【特許文献１】特開２０００−７３５６８号公報（特許請求の範囲の請求項１，同請求項２，明細書中の段落００１９，同００２０，図１，図２）
【発明の開示】
【発明が解決しようとする課題】
【０００５】
しかしながら、上記した特許文献１に開示の建入れ調整装置にあっては、これを利用するについて、以下のような不具合があると指摘される可能性がある。
【０００６】
すなわち、上記の建入れ調整装置は、柱体の下端に一体に連設されているベースプレートの辺部にセットされる流体圧ジャッキやスクリュージャッキ、あるいは、これに相当する専用装置の作動でベースプレートを持ち上げるようにして揺動させ、これによって、柱体における垂直度を修正するとしている。
【０００７】
それゆえ、まず、全体的に看れば、この建入れ調整装置を利用するときに占有される面積は、ベースプレートの大きさ以上になり、このとき、ベースプレートの辺部にセットされる流体圧ジャッキやスクリュージャッキ、あるいは、専用装置の態様によっては、占有面積がいたずらに大きくなって設置が困難になり、また、設置できても操作することが困難になる可能性がある。
【０００８】
つぎに、上記の建入れ調整装置にあっては、ベースプレートの辺部にセットされる流体圧ジャッキやスクリュージャッキ類がいわゆる基礎の上端面に設置されるとしているから、基礎の上端面を精緻に仕上げることが要求される上に、基礎の上端面が整地されていないときには、その安定した設置が困難になり、甚だしい場合には、利用できなくなる可能性がある。
【０００９】
さらに、上記の建入れ調整装置にあっては、持ち上げ動作でベースプレートを揺動させて柱体における垂直度を修正するとしているから、ベースプレートを押し下げて柱体における垂直度を修正することが困難になり、いわゆる利便性に欠ける不具合がある。
【００１０】
この発明は、上記した現状を鑑みて創案されたものであって、その目的とするところは、最下段に立設される柱体における建入れ調整を可能にするのはもちろんのこと、占有面積をいたずらに大きくせず、また、基礎の上端面の態様に拘りなくその設置を可能にしながら利便性を良くし、その汎用性の向上を期待するのに最適となる建入れ調整装置を提供することである。
【課題を解決するための手段】
【００１１】
上記した目的を達成するために、この発明による建入れ調整装置の構成を、基本的には、請求項１にあって、下端側が固定側とされながら上端側が軸線方向となる上方に向けて延在されてベースプレートを貫通するアンカーボルトと、このアンカーボルトの上端部に下端が分離可能に連結される連結手段と、この連結手段の上端に一端が分離可能に連結されると共に他端が柱体の側面に固定状態に張り出すブラケットに分離可能に連結される伸縮手段とを有してなり、適宜の手段による伸縮手段の伸縮動作でブラケットを昇降させて柱の建入れ調整を可能にするとする。
【発明の効果】
【００１２】
それゆえ、請求項１にあって、建入れ調整装置は、アンカーボルトの延在方向たるアンカーボルトの上方に配在されて基礎の上端面に設置されないから、この建入れ調整装置の設置に際して基礎の上端面の影響を受けず、したがって、基礎の上端面の仕上げに精緻さを要求しないことになる。
【００１３】
また、建入れ調整装置は、アンカーボルトを貫通させるベースプレートの内側に配在されるから、この建入れ調整装置がいたずらに大きく形成されない限りにおいて、ベースプレートの外方における占有面積をいたずらに大きくしないことになる。
【００１４】
そして、伸縮手段は、アンカーボルトを基点しながら柱体のブラケットに連結されるから、その伸長作動でアンカーボルトとブラケットの間の距離を大きくしてベースプレートを持ち上げるようにし得ると共に、その収縮作動でアンカーボルトとブラケットの間の距離を小さくしてベースプレートを押し下げるようにし得ることになる。
【００１５】
その結果、この発明のよる建入れ調整装置によれば、最下段に立設される柱体における建入れ調整を可能にするのはもちろんのこと、占有面積をいたずらに大きくせず、また、基礎の上端面の態様に拘りなくその設置を可能にしながら利便性を良くすることが可能になる。
【発明を実施するための最良の形態】
【００１６】
以下に、図示した実施形態に基づいて、この発明を説明するが、この発明による建入れ調整装置は、図１に示すように、アンカーボルト１と、連結手段２と、伸縮手段３とを有してなり、最下段の柱体４を基礎５上に建込む際の垂直度を調整し得るとしている。
【００１７】
少し説明すると、アンカーボルト１は、最下段の柱体４を建込む際の基礎５に、すなわち、最下段の柱体４を立設する際の図示しないフーチンや基礎地盤などの、多くの場合に、コンクリートなどで仕上げられている基礎５に下端側が植設されている。
【００１８】
そして、このアンカーボルト１は、この基礎５への植設で下端側が固定側とされながら上端側がその軸線方向となる上方に向けて延在されて柱体４の下端に多くの場合に水平に一体に連設されているベースプレート６に開穿の孔６ａを貫通するとしている。
【００１９】
ところで、アンカーボルト１は、上記のベースプレート６のいわゆる四隅部を上下方向に貫通するとしており、このとき、ベースプレート６は、基礎５の上端面にほぼ半球状に形成されて饅頭あるいは団子などと称される盛り上り５ａにおける頂部をその中央下面に当接させていて、この頂部を支点にして揺動し得るように設定されている。
【００２０】
ちなみに、柱体４は、多くの場合に、横断面形状が矩形やＨ形やＩ形、あるいは、丸形など任意の形状を呈する型鋼からなり、また、多くの場合に、この種の建入れ調整装置を連繋させるためのエレクションピースを側面に張り出す態様に有してなるのを常態とし、図示するところでは、このエレクションピースを後述するブラケット４ａにしている。
【００２１】
なお、アンカーボルト１は、図示しないが、ベースプレート６の平面形状が変形されるときには、その貫通場所や本数が区々になることはもちろんである。
【００２２】
連結手段２は、上記のアンカーボルト１の上端部に分離可能に連結される袋ナットからなる本体部２１と、アンカーボルト１にあらかじめ螺装されながらこの本体部２１に隣接されたり分離されたりするロックナット２２とを有してなる。
【００２３】
このとき、この連結手段２において、本体部２１は、アンカーボルト１の螺条（符示せず）に一致する内螺条（符示せず）を有していて、工具を利用するなどして外部から直接するこの本体部２１に対する回動操作でアンカーボルト１に螺着し、また、螺着が解除されるとしている。
【００２４】
そして、ロックナット２２は、この連結手段２における本体部２１が螺着される前のアンカーボルト１に螺装されていて、アンカーボルト１の上端部に螺着された本体部２１に隣接するとき、この本体部２１の回動を阻止し、これを、すなわち、連結手段２のアンカーボルト１に対する連結状態を固定するとし、また、上記の本体部２１から離脱するとき、この本体部２１の回動を可能にして、たとえば、本体部１のアンカーボルト１からの分離を可能にするとしている。
【００２５】
ちなみに、本体部２１は、上端に板状のブラケット部２１ａを有しいて、このブラケット部２１ａが後述する連結手段３に連結されるとしている。
【００２６】
なお、上記の連結手段２にあって、袋ナットからなる本体部２１は、図示しないが、内側に実質的にアンカーボルト１の上端部に螺着される螺合体を別途に有してなるとし、この螺合体がアンカーボルト１の径が異なることを予測して、任意の径の内螺条を有するものに交換されるとしても良い。
【００２７】
伸縮手段３は、上記の連結手段２の上端に一端が分離可能に連結されると共に他端が柱体４の側面に張り出すブラケット４ａに分離可能に連結されるとしている。
【００２８】
すなわち、この伸縮手段３は、図示するところでは、基本的には、流体圧シリンダからなるとしており、図中で下端となる一端を形成するブラケット３１が連結手段３における本体部２１に、すなわち、正確には、本体部２１の上端部たるブラケット部２１ａに分離可能に連結されると共に、図中で上端となる他端を形成するブラケット３２が柱体４の側面に連設のブラケット４ａに分離可能に連結されるとしている。
【００２９】
このとき、ブラケット３１のブラケット部２１ａに対する連結、および、ブラケット３２のブラケット４ａに対する連結は、それぞれ連結ピンたる折れピン３３の挿通で具現化されるとし、たとえば、ボルト・ナットによる連結に比較して操作性を良くするとしている。
【００３０】
以上からすれば、この発明による建入れ調整装置は、アンカーボルト１の上端部に連結されてアンカーボルト１の延在方向たるアンカーボルト１の上方に配在されるから、前記した特許文献１に開示の建入れ調整装置にあって、ベースプレートの辺部に流体圧ジャッキやスクリュージャッキ類が配在されることによってベースプレートより大きくなる占有面積を必要にすることに比較して、この発明による建入れ調整装置が占有する面積をアンカーボルト１が貫通するベースプレート６の占有する面積より小さくすることが可能になり、このことからすれば、この発明による建入れ調整装置にあっては、いわゆるコンパクト化を可能にすることになる。
【００３１】
このとき、この発明による建入れ調整装置は、アンカーボルト１の上方に配在されて基礎５の上端面に設置されないから、この建入れ調整装置の設置に際して基礎５の上端面の影響を受けず、したがって、基礎５の上端面の仕上げに精緻さが要求されないことになる。
【００３２】
つぎに、この伸縮手段３たる流体圧シリンダは、図示するところでは、シリンダ部３４に対する外部からの流体圧Ｐの供給でロッド部３５がシリンダ部３４内に没入するようになって、収縮作動し、それゆえ、この流体圧シリンダが、図中に白抜き矢印で示すように、下方の基礎５に対してあたかも下降するようになるとしている。
【００３３】
このとき、柱体４にあっては、上記の伸縮手段３の他端が連結されるブラケット４ａが強制的に下降されるようになり、したがって、この柱体４が前記したベースプレート６の中央下方の盛り上がり５ａにおける頂点を回転中心にして回転し、すなわち、図中に矢印ａで示すように、傾倒するようになり、柱体における垂直度が修正されることになる。
【００３４】
ちなみに、上記の流体圧シリンダは、シリンダ部３４からの流体圧Ｐの排出でロッド部３５がシリンダ部３４内から突出して伸長作動するようにも形成されていて、それゆえ、この流体圧シリンダが、上記と逆に作動することで、下方の基礎５に対してあたかも上昇するようにもなるとしている。
【００３５】
以上のように、上記の伸縮手段３にあっては、アンカーボルト１を基点しながら柱体４のブラケット４ａに連結されるから、その伸長作動でアンカーボルト１とブラケット４ａの間の距離を大きくしてベースプレート６を持ち上げるようにし得ることになる。
【００３６】
また、この伸縮手段３にあっては、アンカーボルト１を基点しながら柱体４のブラケット４ａに連結されるから、その収縮作動でアンカーボルト１とブラケット４ａの間の距離を小さくしてベースプレート６を押し下げるようにし得ることにもなる。
【００３７】
その結果、前記した特許文献１に開示の建入れ調整装置にあっては、流体圧ジャッキやスクリュージャッキがベースプレートを持ち上げるように作動するのみであるから、ベースプレートを押し下げなければならないような状況下では利用できなくなることに比較して、いずれの利用も可能にすることになり、利便性が増すことになる。
【００３８】
のみならず、上記の特許文献１に開示の建入れ調整装置にあっては、これを対向する二基利用としても、それぞれが持ち上げ動作をするだけで、しかも、この両方の持ち上げ動作で柱体４の垂直度を修正するときには、ベースプレートが盛り上がりの頂点から離脱するように上昇されて支点を失うことになる不具合がある。
【００３９】
それに対して、この発明の建入れ調整装置にあっては、対向する二基利用とする場合には、一方で持ち上げ動作をしても、他方で押し下げ動作を可能にするから、ベースプレート６が盛り上がりの頂点から離脱せずして、しかも、効率良く柱体４の垂直度を修正することが可能になる。
【００４０】
以上からすれば、上記の伸縮手段３は、所定のストロークを伸縮できる態様に形成されていれば足りるから、その限りでは、上記の流体圧シリンダに代えて、図示しないが、任意の構成を選択できることになる。
【００４１】
ただ、流体圧シリンダ、あるいは、流体圧ジャッキからなるとき、作動流体として水を選択する場合には、作動流体のいわゆる漏れが招来される場合に、作動流体が油からなる場合に比較して、いたずらな周辺汚れを危惧しなくて済む点で有利となる。
【００４２】
また、伸縮手段３がスクリュージャッキからなるとする場合には、伸縮手段３が流体圧シリンダあるいは流体圧ジャッキからなるとする場合に比較して、作動流体の給排装置類を不要にするから、この建入れ装置のコンパクト化を可能にする点で有利となる。
【００４３】
以上のように形成されたこの発明による建入れ調整装置にあっては、アンカーボルト１の上端部に連結手段２を連結すると共に、この連結手段２に伸縮手段３を連結し、この伸縮手段３を柱体４に連設のエレクションピースたるブラケット４ａに連結する。
【００４４】
このとき、アンカーボルト１とブラケット４ａとの間隔に誤差があるとしても、その誤差がいたずらに大きくならない限りにおいて、伸縮手段３の有効ストロークの範囲内でその誤差に対応できることになる。
【００４５】
もっとも、上記の誤差が極めて多くなるような場合には、図示しないが、伸縮手段３とブラケット４ａとの間に任意の構造の間隔調整装置を介在させ、この間隔調整装置の動作で、上記の大きい誤差を補正するようにしても良いことはもちろんである。
【００４６】
前記したところは、この発明による建入れ調整装置が基礎５に植設されたアンカーボルト１を固定端にしていわゆる引張り動作でブラケット４ａを下降させるように動作する場合を主たる例にして説明したが、この発明が意図するところは、基礎５の上端面に設置されるのではなく、アンカーボルト１に連結された状態で動作することで、ブラケット４ａを昇降させて柱体３における垂直度を修正することであるから、前記したいわゆる引張り動作に代えて、押し動作でブラケット４ａを上昇させ、これによって、柱体４における垂直度を修正するとしても良いこともちろんである。
【図面の簡単な説明】
【００４７】
【図１】この発明による建入れ調整装置を建入れ調整される柱体と共に一部断面にして示す図である。
【符号の説明】
【００４８】
１  アンカーボルト
２  連結手段
３  伸縮手段
４  柱体
４ａ  ブラケット
６  ベースプレート
１０  連結手段
２１  袋ナット
２２  ロックナット
３３  連結ピンたる折れピン
【図１】
2006077450.tif 000003